(57)【要約】【課題】湾曲断面を有する弾性テープの復元力により、巻き戻ってコンパクトになり、曲面上でも定規の機能を持つ直定規を提供する。【解決手段】伸ばした状態では湾曲断面を保った状態で静止・安定するが、凸面方向から凹面方向に向け、湾曲を戻す方向に力を加えると長さ方向に巻き戻ろうとする復元力を持つ、または持つように加工された弾性テープに、その表面または被覆された表面、またはそれに付着させたテープの表面、ないしはそれを覆うカバーの表面、に直定規の目盛りを設ける。【選択図】　　図３
2004090601.tif 000002
【特許請求の範囲】
【請求項１】
伸ばした状態では湾曲断面を保った状態で静止・安定するが、凸面方向から凹面方向に向け、湾曲を戻す方向に力を加えると長さ方向に巻き戻ろうとする復元力を持つ、または持つように加工された弾性テープに、その表面または被覆された表面、またはそれに付着させた合成樹脂等のテープの表面、ないしはそれを覆うカバーの表面、に目盛りを設けた直定規。
【請求項２】
凹面に任意の数の突起を設けたことを特徴とする請求項１の直定規。
【請求項目３】請求項１または２記載の直定規の途中に、同程度の湾曲を持つスライダーを設けた直定規。
【発明の詳細な説明】
【０００１】
【発明の属する技術分野】
この発明は、湾曲断面を有する弾性テープの復元力により巻き戻ってコンパクトになり、曲面上でも定規の機能を持つ直定規に関するものである。
【０００２】
【従来の技術】
従来より５０ｃｍを超えるような長尺の直定規は、古くは竹製のものからプラスティックやステンレス・鋼製のものまであるが、通常はその長さのまま市販されている。一方、携帯しやすくした定規としては、蝶番を使って中間部で前後に二つ折りにできる３０ｃｍの直定規が市販されているほか、寸法や長さ・距離を測るための道具としての折尺や巻尺がある（ただし、これらは定規本来の使い方の一つである定規の縁にペン先をあてて直線を引くなどの用途には適していない）。また、曲面に沿って直線を引くことのできる定規は存在しない。
【０００３】
【発明が解決しようとする課題】
３０ｃｍはもとより５０ｃｍを超えるような長尺の直定規は、その長さゆえ携行するのに非常に不便である。携行しやすいよう、前後に折り畳めるようにした直定規が市販されているが、蝶番を設けた屈曲部において定規のプレートが微妙にずれ直線が引けないことがあり、また伸ばしたり曲げたりという動作を繰り返すことによる蝶番部分の強度劣化による耐久性の問題がある。
また、折尺・巻尺は、縁にペン先をあてて直線を引くには適していない。なぜなら、折尺は目盛りを設けた複数のプレートが接合部において重なって繋がっており、段差によりペン先がずれてしまう。巻尺は、その目盛りのテープ幅が狭いものでは、線を引いているうちに縁に沿って加える筆圧によりテープが容易に曲がってしまい直線が引けなくなり、逆に長尺用で目盛りのテープ幅が広いものでは、テープの両端部がゆるやかなＵ字型となり縁が浮き上がっており、ペン先が安定せず直線を引くのは困難である。
一方、巻尺に関していえば、その巻き戻る動力となるゼンマイの分だけ重くなることに加え、目盛りテープとゼンマイを格納するための容器も必要なことから嵩張ってしまい、長さを測ったり直線を引いたりする際、邪魔になる。
さらに、これまでは円筒形等、曲面を持つ物体の外周に沿って直線を引ける定規はなかった。
【０００４】
【課題を解決するための手段】
伸ばした状態では湾曲断面を保った状態で静止・安定するが、凸面方向から凹面方向に向け、湾曲を戻す方向に力を加えると長さ方向に巻き戻ろうとする復元力を持つ、または持つように加工された弾性テープに、その表面または被覆された表面、またはそれに付着させた合成樹脂等のテープの表面、ないしはそれを覆うカバーの表面、に直定規としての目盛りを設ける。
【０００５】
【発明の実施の形態】
以下、本発明の実施の形態を説明する。
イ．伸ばした状態では湾曲断面を保った状態で静止・安定する（図１の状態）が、湾曲を戻す方向（３）に力を加えると長さ方向（２）に巻き戻ろうとする復元力（４）を持つ、あるいは持つように焼き入れ等、処理・加工されたスチールなどの金属ほか弾性テープに、その表面または被覆された表面、またはそれに付着させた合成樹脂等のテープの表面、ないしはそれを覆うカバーの表面、の片面または両面に直定規としての目盛りを設ける。
ロ．図１の状態において、通常の定規としての使用、すなわち寸法や長さ、距離を計測したり、定規本体（１）の縁に沿ってペン先を移動することにより直線を引くことができる。
ハ．コンパクトにするには、定規本体（１）を凸面方向から凹面方向に向けて（３）指等で押さえる。すると定規本体（１）の端部が図３のようにまくれ上がり、そのまま図４のような丸まった状態まで巻き戻る。
【０００６】
【実施例】
定規本体（１）の凹面に、合成樹脂等のテープを付着させる（５）ことにより、図５の断面図が示すように定規本体（１）を紙面から浮かせられ、ボールペンなどで縁に沿って直線を引く際、インクがにじまないようにできることに加え、定規本体（１）の巻き戻る速度を緩めることができる。
【０００７】
図６に示すように定規本体（１）の凹面に突起（６）を設けることにより、例えば縁に沿って直線を引いている時、定規本体（１）が動かないように押さえる際、押さえる力が強すぎて勝手に巻き戻ってしまうのを防ぐことができる。この状態では、突起のないところを（３）の方向で押さえれば容易に巻き戻る。
【０００８】
定規本体（１）が巻き戻る復元力（４）を利用して、通常の定規では困難な曲面に沿っての直線引きを可能にすることも本発明の特徴である。図７は円筒形の物体に定規本体（１）を巻き付け、外周に沿った線引きの実施例である。なお、当該実施例では定規本体（１）の凹面が表にあらわれるため、凹面に目盛りを設けることになる。
【０００９】
図８に示すように、定規本体（１）と同程度の湾曲を持つスライダー（７）を定規本体（１）に設け、これをスライドさせることによって任意の長さで止めることができる。
【００１０】
また、測量用のポールまたは目読箱尺も、本発明の原理を応用し、湾曲断面を有する弾性テープの復元力を利用することにより、伸ばせば垂直に自立し、巻き取れば小型携帯型の目盛尺となるものが製作可能である。
【００１１】
【発明の効果】
本発明は以上説明したような形態で実施され、以下の効果を持つ。
イ．巻尺に必要なゼンマイ等の付属品が不要なため軽量な上、巻き戻ってコンパクトになるので、長尺であっても容易に携行できる直定規を提供する。
ロ．曲面に沿って直線を引くことができる。
【図面の簡単な説明】
【図１】本発明を定規として使用している状態を示す斜視図である。
【図２】図１の断面図である。
【図３】本発明の一実施形態を示す斜視図である。
【図４】本発明が巻き戻ってコンパクトになった状態を示す斜視図である。
【図５】本発明の一実施形態であり、本体凹面に合成樹脂等のテープを付着させた状態の本発明の斜視図及び断面図である。
【図６】本発明の一実施形態であり、本体凹面に突起を設けた、本発明の斜視図及び断面図である。
【図７】本発明の一実施形態を示す斜視図である。
【図８】本発明の一実施形態であり、スライダーを設けて巻き戻るのを途中で静止させた状態を示す斜視図及び断面図である。
【符号の説明】
１．定規本体
２．長さ方向（伸ばす方向または巻き戻る方向）
３．湾曲を戻す力の方向
４．巻き戻る方向
５．合成樹脂等のテープ
６．突起物
７．スライダー
【図１】
2004090601.tif 000003
【図２】
2004090601.tif 000004
【図３】
2004090601.tif 000005
【図４】
2004090601.tif 000006
【図５】
2004090601.tif 000007
【図６】
2004090601.tif 000008
【図７】
2004090601.tif 000009
【図８】
2004090601.tif 000010